【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
コヒーレントな光の投射システムであって、
少なくともコヒーレントな光を放出するために構成されたコヒーレントな光の源のシステム、
少なくとも像のデータと整合性の様式で前記コヒーレントな光と相互作用するために構成された一つの又はより多い空間的な光の変調器を含む像を形成するシステム、
少なくとも前記像を形成するシステムから出力されたコヒーレントな光から中間の像の平面に中間の像を形成するために構成されたリレーシステム、前記中間の像が空中の実の像であること、
前記中間の像の平面に又は実質的にそれに位置させられた屈折のスペックル低減の要素、前記屈折のスペックル低減の要素が前記屈折のスペックル低減の要素の表面に形成された小レンズの配置を具備すること、前記小レンズの配置が各々アパーチャを有する小レンズを具備すること、前記小レンズのアパーチャのサイズは、前記小レンズの配置と関連させられた屈折のビームを操縦する効果が、実質的に、前記小レンズの配置と関連させられたいずれの拡散の効果のものと比べてより大きいものであるように、前記中間の像の平面における前記中間の像の像のピクセルのサイズと比べてより大きいもの又はそれに等しいものであること、
少なくとも前記屈折のスペックル低減の要素を移動させると共に前記中間の像が前記屈折のスペックル低減の要素の前記小レンズの配置を通じて移されるように前記中間の像の像の光を操縦するために構成された移動を発生させるシステム、及び、
少なくとも前記移動する屈折のスペックル低減の要素を通じて移されたように、前記中間の像の前記操縦された像の光を投射するために構成された投射のサブシステム
を具備する、システム。
【請求項２】
請求項１のシステムにおいて、
前記ギャップのサイズは、実質的に前記屈折のスペックル低減の要素を通過する光の元来の波面の位相の内容を保存するために十分に大きいものである、システム。
【請求項３】
光を投射するための方法であって、
コヒーレントな光の源のシステムからコヒーレントな光を発生させること、
像のデータと整合性の様式で前記コヒーレントな光と相互作用することによって一つの又はより多いものの空間的な光の変調器を含む像を形成するシステムで像を形成すること、
少なくとも前記像を形成するシステムから出力されたコヒーレントな光から中間の像の平面で中間の像を形成すること、前記中間の像がリレーシステムで形成された空中の実の像であること、
前記中間の像の平面に又は実質的にそれに位置させられた屈折のスペックル低減の要素を通じて前記中間の像を移すこと、前記スペックル低減の要素が前記屈折のスペックル低減の要素の表面に形成された小レンズの配置を具備すること、前記小レンズの配置が各々アパーチャを有するものである小レンズを具備すること、前記小レンズのアパーチャのサイズは、前記小レンズの配置と関連させられた屈折のビームを操縦する効果が、実質的に、前記小レンズの配置と関連させられたいずれの拡散の効果のものと比べてより大きいものであるように、前記中間の像の平面における前記中間の像の像のピクセルのサイズと比べてより大きいもの又はそれに等しいものであること、
前記中間の像が前記屈折のスペックル低減の要素を通じて移される一方で、移動を発生させるシステムで前記スペックル低減の要素を移動させること、及び、
投射のサブシステムで、前記屈折のスペックル低減の要素を通じて移されたように、前記中間の像を投射すること
を具備する、方法。
【手続補正２】
【補正対象書類名】明細書
【補正対象項目名】００７０
【補正方法】変更
【補正の内容】
【００７０】
しかしながら、本発明の範囲内であるバリエーションおよび変更態様が遂行されることができることは、よく理解されていることになっている。例えば、レンズ要素は、いかなる適切な種類ものレンズ・ガラスまたは他の光学材料で製作されることができた。さまざまなタイプのレンズを載置している配列は、提供されることができる。例えば、種々の種類のレーザー光源が、レーザアレイを含む用いられることができる。光変調器の多くの異なるタイプのいずれかが使われることができる。そして、ディジタル・マイクロ鏡、液晶ディスプレイ（ＬＣＤ）装置、電気機械システム（ＧＥＭＳ）装置に格子をつけて、光弁（ＧＬＶ）装置に格子をつけることのような電気機械格子装置またはピクセル化された配列装置の他方式を含む。三原色（ＲＧＢ）を使用している実施例が記載されると共に、３つの光源または変調器が利用されるより多くであるかより少しの所で、本発明の実施例がまた、使われることができる。更に、“システム”および“サブシステム”がそれを承認するためにこの説明においてしばしば使われる期間、本願明細書において例示される特定の実施例がレンズまたは他の部品の特定の配置を有するにもかかわらず、オップアートの当業者はこの種の特定の準備が本願明細書において記載されている同じ機能を成し遂げる一つ以上の他の準備と交換されることができたと認める。例えば、リレー・システムは、リレーレンズ１８を含むとして、本願明細書においてしばしば記載されている。この種のレンズ１８は、中間画像面２１でまだ中間画像２２を形成する複数のレンズと交換されることができた。同じ推理は、投影サブシステム２０および本願明細書において記載されている他のシステムにあてはまる。更に、条件“システム”および“サブシステム”が、また、示されないかまたは本願明細書において記載されていない付加的な従来の構成要素がまた、あることがありえると承認するために、この説明において使われる。例えば、リレー・システム１８は、リレーレンズＬｌを含むことができる、しかし、それは、たぶんまた、レンズ取付ハードウェア、特定の光学コーティング、などを含む。
［付記］
付記（１）：
コヒーレントな光の投射システムであって、
最も少ないときでコヒーレントな光を放出するために構成されたコヒーレントな光の源のシステム、
最も少ないときで像のデータと整合性の様式で前記コヒーレントな光と相互作用するために構成された像を形成するものであるシステム、
最も少ないときで前記像を形成するものであるシステムから出力されたコヒーレントな光から中間の像の平面に中間の像を形成するために構成されたリレーシステム、前記中間の像が空中の実の像であるものであること、
前記中間の像の平面に又は実質的にそれに位置させられたスペックル低減要素、前記スペックル低減要素が前記スペックル低減要素の表面に形成された小レンズの配置を具備するものであること、前記小レンズの配置が各々アパーチャを有するものである小レンズを具備するものであること、それにおいて前記小レンズのアパーチャの全てのもの又は実質的に全てのものの各々は、前記中間の像の平面における前記中間の像のピクセルのサイズと比べてより大きいもの又はそれに等しいものであること、
最も少ないときで前記スペックル低減要素を移動させると共に前記中間の像が前記スペックル低減要素の前記小レンズの配置を通じて移されたものであるように前記中間の像の像の光を操縦するために構成された移動を発生させるものであるシステム、及び、
最も少ないときで、前記移動するものであるスペックル低減要素を通じて移されたように、前記中間の像の前記操縦された像の光を投射するために構成された投射のサブシステム
を具備するものである、システム。
付記（２）：
付記（１）のシステムにおいて、それにおいて、
前記小レンズの配置は、ランダムな又は実質的にランダムな分布の小レンズを具備する、システム。
付記（３）：
付記（１）のシステムにおいて、それにおいて、
前記小レンズの配置は、六辺形の、線形の、又は対角のパターンにおける又は実質的にそれにおける、小レンズを具備する、システム。
付記（４）：
付記（１）のシステムにおいて、それにおいて、
前記小レンズの配置は、全体的に又はほとんど全体的に境を接するものである小レンズを具備する、システム。
付記（５）：
付記（１）のシステムにおいて、それにおいて、
前記小レンズの配置は、全体的に又はほとんど全体的に境を接するものではない又はまばらに分布させられた小レンズを具備する、システム。
付記（６）：
付記（５）のシステムにおいて、それにおいて、
前記小レンズの間におけるスペーシングは、前記スペーシングからの拡散が前記投射レンズのアクセプタンスアパーチャへと通過することを許容するために十分に大きいものである又は実質的にそれである、システム。
付記（７）：
付記（５）のシステムにおいて、それにおいて、
前記小レンズの間におけるスペーシングは、前記中間の像の平面における前記中間の像のピクセルのサイズと比べてより大きいもの又はそれに等しいものである、システム。
付記（８）：
付記（５）のシステムにおいて、それにおいて、
前記移動を発生させるものであるシステムは、最も少ないときで小レンズの繰り返しの周期と比べてより大きいもの又はそれに等しいものであるところの距離だけ平面内において前記スペックル低減要素を移動させるために構成されたものである、システム。
付記（９）：
付記（１）のシステムにおいて、それにおいて、
前記投射のサブシステムにおけるレンズのアクセプタンスアパーチャは、さらに、前記小レンズの間におけるスペーシング又は境を接するものである小レンズの間における谷間によって引き起こされた拡散を捕捉するために構成されたものである、システム。
付記（１０）：
付記（１）のシステムにおいて、それにおいて、
前記投射のサブシステムにおけるレンズのアクセプタンスアパーチャは、前記スペックル低減要素を通じて移されたように、第四の次数のエネルギー又は前記中間の像のより下のものを捕捉する、システム。
付記（１１）：
付記（１）のシステムにおいて、それにおいて、
前記小レンズの配置は、前記投射のサブシステムのアクセプタンスアパーチャへと、前記スペックル低減要素を通じて移されたように、最も少ないときで第四の次数のエネルギー又は前記中間の像のより低いものを通過させるために構成されたものである、システム。
付記（１２）：
付記（１）のシステムにおいて、それにおいて、
前記像を形成するものであるシステムは、光変調器及び共通の軸へと前記コヒーレントな光源のシステムからの複数のカラーチャネルを整列させるところの二色性のコンバイナーを具備する、システム。
付記（１３）：
付記（１）のシステムにおいて、それにおいて、
前記移動を発生させるものであるシステムは、最も少ないときで前記スペックル低減要素の光学的な軸に対して平行な方向における前記スペックル低減要素の動きを引き起こすために構成されたものである、システム。
付記（１４）：
付記（１３）のシステムにおいて、それにおいて、
前記光学的な軸に対して平行な動きは、前記投射のサブシステムの焦点の深さ内にあるものである、システム。
付記（１５）：
付記（１３）のシステムにおいて、それにおいて、
前記光学的な軸に対して平行な動きは、前記リレーシステムの焦点の深さ内にあるものである、システム。
付記（１６）：
付記（１３）のシステムにおいて、それにおいて、
前記移動を発生させるものであるシステムは、さらに、最も少ないときで前記スペックル低減要素の光学的な軸に対して垂直な方向における前記スペックル低減要素の動きを引き起こすために構成されたものである、システム。
付記（１７）：
付記（１）のシステムにおいて、それにおいて、
前記像を形成するものであるシステムは、さらに、第一のサイズを有するものである初期の像を投射するために構成されたものであると共に、それにおいて、
前記中間の像は、前記第一の竿図と比べてより大きいものの又はそれに等しいものの第二のサイズを有する、
システム。
付記（１８）：
付記（１７）のシステムにおいて、それにおいて、
前記第二のサイズは、１６ｍｍ、３５ｍｍ、又は７０ｍｍのフィルムの形式と整合性のものである、システム。
付記（１９）：
付記（１７）のシステムにおいて、それにおいて、
前記投射のサブシステムは、さらに、フィルムの座屈の効果について補正をするために構成されたものである、システム。
付記（２０）：
付記（１）のシステムにおいて、それにおいて、
前記投射のサブシステムは、さらに、フィルムの座屈の効果について補正をするために構成されたものであると共に、それにおいて、
前記スペックル低減要素は、最も少ないときでフィルムの座屈の効果の前記投射のサブシステムの補正について補償をするために構成された湾曲させられた表面を有する、
システム。
付記（２１）：
付記（２０）のシステムにおいて、それにおいて、
前記湾曲させられた表面は、それを通じて前記中間の像が受けられたものであるところの表面である、システム。
付記（２２）：
付記（２０）のシステムにおいて、それにおいて、
前記湾曲させられた表面は、それを通じて前記中間の像が前記スペックル低減要素を出るところの表面である、システム。
付記（２３）：
付記（１）のシステムにおいて、それにおいて、
前記リレーシステムは、第一のｆ−数を有すると共に、
前記投射のサブシステムは、前記第一のｆ−数と比べてより少ないものの第二のｆ−数を有する、
システム。
付記（２４）：
付記（２３）のシステムにおいて、それにおいて、
前記第二のｆ−数は、最も少ないときで前記第一のｆ−数の半分のものである、システム。
付記（２５）：
付記（１）のシステムにおいて、それにおいて、
前記リレーシステムは、第一の作動するものである距離を有すると共に、
前記投射のサブシステムは、前記第一の作動するものである距離と比べてより少ないものの第二の作動するものである距離を有する、
システム。
付記（２６）：
付記（２５）のシステムにおいて、それにおいて、
前記第二の作動するものである距離は、最も少ないときで前記第一の作動するものである距離の半分のものである、システム。
付記（２７）：
光を投射するための方法であって、
コヒーレントな光源のシステムからコヒーレントな光を発生させるものであること、
最も少ないときで像のデータと整合性の様式で前記コヒーレントな光と相互作用するものであることによって像を形成するものであるシステムで像を形成するものであること、
最も少ないときで前記像を形成するものであるシステムから出力されたコヒーレントな光から中間の像の平面で中間の像を形成するものであること、前記中間の像がリレーシステムで形成された空中の実の像であるものであること、
前記中間の像の平面に又は実質的にそれに位置させられたスペックル低減要素を通じて前記中間の像を移すものであること、前記スペックル低減要素が前記スペックル低減要素の表面に形成された小レンズの配置を具備するものであること、前記小レンズの配置が各々がアパーチャを有するものである小レンズを具備するものであること、それにおいて前記小レンズの配置の全てのもの又は実質的に全てのものの各々は、前記中間の像の平面における前記中間の像のピクセルのサイズと比べてより大きいもの又はそれに等しいものであること、
前記中間の像が、前記スペックル低減要素を通じて移されたものである一方で、移動を発生させるものであるシステムで前記スペックル低減要素を移動させるものであること、及び、
投射のサブシステムで、前記スペックル低減要素を通じて移されたように、前記中間の像を投射するものであること
を具備するものである、方法。